(57)【要約】【課題】加飾フィルムにおいて、表面に虹色の干渉縞が現れることを抑制する。【解決手段】加飾フィルム１０は、車両の内装部材等の三次元形状部材に貼着される光輝性のフィルムである。加飾フィルム１０は、三次元形状部材に接着する接着層１８と、接着層１８より上に積層される金属蒸着層１４と、金属蒸着層１４より上に積層される、光を拡散させる第１の拡散剤を含有した光拡散層１２と、光拡散層１２より上に積層される表面保護層１１と、を有する。光拡散層１２は、アクリルにシリカが添加されたものである。表面保護層１１は、アクリレートとアクリルを混合したものにポリエチレンが添加されたものである。【選択図】図２
2018149715.tif 000002
【特許請求の範囲】
【請求項１】
三次元形状部材に貼着される加飾フィルムであって、
前記三次元形状部材に接着する接着層と、
前記接着層より上に積層される金属蒸着層と、
前記金属蒸着層より上に積層される、光を拡散させる第１の拡散剤を含有した光拡散層と、
前記光拡散層より上に積層される表面保護層と、を有することを特徴とする加飾フィルム。
【請求項２】
前記光拡散層は、第１の樹脂に、前記第１の拡散剤であるシリカが添加されたものであることを特徴とする請求項１に記載の加飾フィルム。
【請求項３】
前記第１の樹脂は、アクリルを含有することを特徴とする請求項２に記載の加飾フィルム。
【請求項４】
前記表面保護層は、光を拡散させる第２の拡散剤を含有することを特徴とする請求項１乃至３のいずれかに記載の加飾フィルム。
【請求項５】
前記表面保護層は、アクリレート又はアクリルを含むものに、前記第２の拡散剤であるポリエチレンが添加されたものであることを特徴とする請求項４に記載の加飾フィルム。
【請求項６】
前記光拡散層と前記金属蒸着層との間にプライマー層を有することを特徴とする請求項１乃至５のいずれかに記載の加飾フィルム。
【請求項７】
前記表面保護層は、前記光拡散層と前記プライマー層よりも厚いことを特徴とする請求項６に記載の加飾フィルム。
【請求項８】
前記三次元形状部材は、乗物の内装部材であることを特徴とする請求項１乃至７のいずれかに記載の加飾フィルム。
【発明の詳細な説明】
【技術分野】
【０００１】
本発明は、三次元形状部材に貼着される光輝性の加飾フィルムに関する。
【背景技術】
【０００２】
自動車等の乗物の内装部材に、耐候性、耐久性、装飾性等の観点から表面に光輝性の加飾フィルムを貼着することがある。例えば、特許文献１には、金属薄膜層、プライマー層、表面保護層を順に積層した加飾フィルムについて開示されている。
【先行技術文献】
【特許文献】
【０００３】
【特許文献１】特開２０１５−１６４７９４号公報
【発明の概要】
【発明が解決しようとする課題】
【０００４】
ところで、加飾フィルムを車両のドアグリップ等の複雑な三次元形状部材に貼着する場合には、加飾フィルムが引き伸ばされるために、表面保護層の表面から金属薄膜層の表面までの距離が短くなる。こうした場合に、表面保護層の反射光と、金属薄膜層の反射光とが干渉し、フィルム表面に虹色の干渉縞が出現することがある。
【０００５】
本発明は、上記の課題に鑑みてなされたものであり、その目的は、表面に虹色の干渉縞が現れることを抑制できる加飾フィルムを提供することにある。
【課題を解決するための手段】
【０００６】
前記課題は、本発明に係る加飾フィルムによれば、三次元形状部材に貼着される加飾フィルムであって、前記三次元形状部材に接着する接着層と、前記接着層より上に積層される金属蒸着層と、前記金属蒸着層より上に積層される、光を拡散させる第１の拡散剤を含有した光拡散層と、前記光拡散層より上に積層される表面保護層と、を有することにより解決される。
【０００７】
上記の加飾フィルムによれば、金属蒸着層で反射した光が光拡散層を通過する際に拡散されることで、表面保護層と金属蒸着層のそれぞれからの反射光が干渉してしまうことを抑制できる。これにより、加飾フィルムの表面に虹色の干渉縞が現れることを抑制できる。
【０００８】
また、上記の加飾フィルムにおいて、前記光拡散層は、第１の樹脂に、前記第１の拡散剤であるシリカが添加されたものであると好適である。
こうすることで、金属蒸着層からの反射光を光拡散層において効果的に拡散させることができる。
【０００９】
また、上記の加飾フィルムにおいて、前記第１の樹脂は、アクリルを含有すると好適である。
こうすることで、金属蒸着層からの反射光を光拡散層においてより効果的に拡散させることができる。
【００１０】
また、上記の加飾フィルムにおいて、前記表面保護層は、光を拡散させる第２の拡散剤を含有すると好適である。
こうすることで、金属蒸着層で反射した光が光拡散層に加えて、表面保護層を通過する際にも拡散されることで、表面保護層と金属蒸着層からのそれぞれの反射光が干渉してしまうことを更に抑制できる。これにより、加飾フィルムの表面に虹色の干渉縞が現れることを更に抑制できる。
【００１１】
また、上記の加飾フィルムにおいて、前記表面保護層は、アクリレート又はアクリルを含むものに、前記第２の拡散剤であるポリエチレンが添加されたものであると好適である。
こうすることで、金属蒸着層で反射する光を表面保護層において効果的に拡散させることができる。
【００１２】
また、上記の加飾フィルムにおいて、前記光拡散層と前記金属蒸着層との間にプライマー層を有すると好適である。
こうすることで、加飾フィルムの防湿性を向上させることができる。
【００１３】
また、上記の加飾フィルムにおいて、前記表面保護層は、前記光拡散層と前記プライマー層よりも厚いと好適である。
こうすることで、表面保護層における光の分散効果を更に向上させることができる。
【００１４】
また、上記の加飾フィルムにおいて、前記三次元形状部材は、乗物の内装部材であると好適である。
こうすることで、乗物の内装部材に貼着された加飾フィルムの表面に虹色の干渉縞が現れることを抑制できる。
【発明の効果】
【００１５】
本発明によれば、加飾フィルムの表面に虹色の干渉縞が現れることを抑制できる。
本発明によれば、金属蒸着層からの反射光を光拡散層において効果的に拡散させることができる。
本発明によれば、加飾フィルムの表面に虹色の干渉縞が現れることを更に抑制できる。
本発明によれば、金属蒸着層で反射する光を表面保護層において効果的に拡散させることができる。
本発明によれば、加飾フィルムの防湿性を向上させることができる。
本発明によれば、表面保護層における光の分散効果を更に向上させることができる。
本発明によれば、乗物の内装部材に貼着された加飾フィルムの表面に虹色の干渉縞が現れることを抑制できる。
【図面の簡単な説明】
【００１６】
【図１】車両の内装の一部であるドアグリップに加飾フィルムを貼着した状態を示す図である。
【図２】加飾フィルムの積層構造を示す図である。
【図３】加飾フィルムの表面保護層における反射光と、金属蒸着層からの反射光との関係について説明する図である。
【発明を実施するための形態】
【００１７】
以下、図１乃至図３を参照しながら、本発明の実施の形態（以下、本実施形態）に係る加飾フィルム１０について説明する。本実施形態においては、加飾フィルム１０は、例えば車両（乗物の一例）のドアグリップ２（三次元形状部材の一例）に貼着されるものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１８】
図１には、車両の内装１の一部であるドアグリップ２に、加飾フィルム１０を貼着した状態を示した。ドアグリップ２は、例えば樹脂成形体であり、加飾フィルム１０は、ドアグリップ２の表面に貼着される光輝性のフィルムである。以下、加飾フィルム１０の詳細について説明する。
【００１９】
図２には、加飾フィルム１０の積層構造を示した。図２に示されるように、加飾フィルム１０は、表面保護層１１、光拡散層１２、第１プライマー層１３、金属蒸着層１４、第２プライマー層１５、フィルム基材層１６、隠蔽層１７、及び接着層１８を有する。
なお、本実施形態では、上記の構成としたが、加飾フィルム１０が、表面保護層１１、光拡散層１２、第１プライマー層１３、金属蒸着層１４を含むものであれば、金属蒸着層１４より下側の層の構成は上記の例に限定されるものではない。
ここで、加飾フィルム１０の製造工程の概要は以下の通りである。
まず、ＰＥＴフィルムに、表面保護層１１、光拡散層１２、第１プライマー層１３、金属蒸着層１４、第２プライマー層１５を積層して第１のフィルム部材を作製する。
また、フィルム基材層１６に、隠蔽層１７、接着層１８を印刷し、第２のフィルム部材を作製する。
そして、第１のフィルム部材と第２のフィルム部材とをラミネート加工により貼合した後に、ＰＥＴフィルムを剥がすことにより、加飾フィルム１０が完成する。
【００２０】
接着層１８は、ドアグリップ２等の車両の内装部材に接着する層である。例えば、接着層１８は、アクリル系、スチレン系、塩化ビニル酢酸ビニル共重合体等の材料から構成されることとしてよい。
【００２１】
隠蔽層１７は、接着層１８に上に形成され、透過性を抑制する隠蔽材料からなる層である。例えば、隠蔽層１７は、アクリル系の材料から構成されることとしてよい。
【００２２】
フィルム基材層１６は、隠蔽層１７の上に形成され、加飾フィルム１０の基材となる層である。例えば、フィルム基材層１６は、アクリル樹脂から構成されることとしてよい。
【００２３】
第２プライマー層１５は、フィルム基材層１６と金属蒸着層１４の間に形成され、フィルム基材層１６と金属蒸着層１４の隙間を埋める層である。例えば、第２プライマー層１５は、ポリエステル系の材料から構成されることとしてよい。
【００２４】
金属蒸着層１４は、第２プライマー層１５の上に形成され、光輝性を有する層である。例えば、金属蒸着層１４は、スズ、銅、ニッケル、クロム、チタン、コバルト、モリブデン、ジルコニウム、タングステン、パラジウム、インジウム、金、銀又はアルミニウムのいずれかもしくは複数から構成されることとしてよい。
【００２５】
第１プライマー層１３は、金属蒸着層１４と光拡散層１２の間に形成され、金属蒸着層１４と光拡散層１２の隙間を埋める層である。例えば、第１プライマー層１３は、アクリル系の材料から構成されることとしてよい。
【００２６】
光拡散層１２は、第１プライマー層１３の上に形成され、透過する光を拡散させる拡散材料を含有する層である。例えば、拡散材料は、屈折率を調整するための屈折率調整材である。具体的には、光拡散層１２は、アクリルを含有する樹脂（第１の樹脂の一例）に、シリカ（拡散材料の一例）を添加することにより構成されることとしてよい。
【００２７】
表面保護層１１は、光拡散層１２の上に形成される最上部の層である。また、表面保護層１１には、透過する光を拡散させる拡散材料を添加している。例えば、表面保護層１１は、アクリレート又はアクリルを含むものに、ポリエチレン（拡散材料の一例）を添加することにより構成されることとしてよい。
【００２８】
また、図２に示されるように、金属蒸着層１４の上方に積層された表面保護層１１、光拡散層１２、第１プライマー層１３のうち表面保護層１１の厚みが最も大きい。このように構成することにより、金属蒸着層１４からの反射光に対する、表面保護層１１を通過する際の拡散量を大きくすることができる。
【００２９】
ここで、図３を参照しながら、加飾フィルム１０により奏される効果について説明する。
【００３０】
図３に示されるように、加飾フィルム１０に入射する入射光２０の一部は、表面保護層１１の表面で反射される。ここで、表面保護層１１の表面で反射される光を第１反射光２１とする。
また、図３に示されるように、加飾フィルム１０に入射する入射光２０の一部は、表面保護層１１、光拡散層１２、第１プライマー層１３を通過して、金属蒸着層１４に達し、金属蒸着層１４で反射されてから、第１プライマー層１３、光拡散層１２、表面保護層１１を通過して表面保護層１１から出射される。ここで、金属蒸着層１４の表面で反射される光を第２反射光２２とする。
【００３１】
加飾フィルム１０では、金属蒸着層１４からの反射光である第２反射光２２は、光拡散効果を有する表面保護層１１、光拡散層１２を通過する際に拡散される。これにより、加飾フィルム１０の表面において、第１反射光２１と第２反射光２２との位相がばらつくために、干渉縞が生じにくくなる。
【００３２】
以上説明した本実施形態に係る加飾フィルム１０は、車両の内装部材に接着する接着層１８と、接着層１８より上に積層される金属蒸着層１４と、金属蒸着層１４より上に積層される、光を拡散させる第１の拡散剤を含有した光拡散層１２と、光拡散層１２より上に積層される表面保護層１１と、を有する。
こうすることで、加飾フィルム１０によれば、金属蒸着層１４で反射した光が光拡散層１２を通過する際に拡散されることで、表面保護層１１と金属蒸着層１４のそれぞれからの反射光が干渉してしまうことを抑制できる。これにより、加飾フィルム１０の表面に虹色の干渉縞が現れることを抑制できる。
【００３３】
また、加飾フィルム１０では、光拡散層１２は、アクリルに、第１の拡散剤であるシリカが添加されたものである。
こうすることで、金属蒸着層１４からの反射光を光拡散層１２において効果的に拡散させることができる。
【００３４】
また、加飾フィルム１０では、表面保護層１１は、光を拡散させる第２の拡散剤を含有する。
こうすることで、金属蒸着層１４で反射した光が光拡散層１２に加えて、表面保護層１１を通過する際にも拡散されることで、表面保護層１１と金属蒸着層１４からのそれぞれの反射光が干渉してしまうことを更に抑制できる。これにより、加飾フィルム１０の表面に虹色の干渉縞が現れることを更に抑制できる。
【００３５】
また、加飾フィルム１０では、表面保護層１１は、アクリレートとアクリルを混合したものに、第２の拡散剤であるポリエチレンが添加されたものである。
こうすることで、金属蒸着層１４からの反射光を表面保護層１１において効果的に拡散させることができる。
【００３６】
また、加飾フィルム１０では、光拡散層１２と金属蒸着層１４との間に第１プライマー層１３を有する。
こうすることで、光拡散層１２と金属蒸着層１４との間を隙間なく埋めることができるため、加飾フィルム１０の防湿性を向上させることができる。
【００３７】
また、加飾フィルム１０では、表面保護層１１は、光拡散層１２と第１プライマー層１３よりも厚いと好適である。
こうすることで、表面保護層１１における光の分散効果を更に向上させることができる。
【００３８】
本発明は、上記の実施形態に限定されるものではない。例えば、加飾フィルム１０は、ドアグリップ２に限られずに、内装のパネル等に対しても貼着可能である。
また、加飾フィルム１０は、車両の内装に限られずに、自動二輪車、船舶、航空機等の乗物の内装の装飾に対しても適用可能である。
また、加飾フィルム１０は、乗物の内装以外の３次元形状部材に対して貼着可能である。
【符号の説明】
【００３９】
１  内装
２  ドアグリップ
１０  加飾フィルム
１１  表面保護層
１２  光拡散層
１３  第１プライマー層
１４  金属蒸着層
１５  第２プライマー層
１６  フィルム基材層
１７  隠蔽層
１８  接着層
２０  入射光
２１  第１反射光
２２  第２反射光
【図１】
2018149715.tif 000003
【図２】
2018149715.tif 000004
【図３】
2018149715.tif 000005